(57)【要約】  実施形態に係る無線端末は、ＭＤＴをサポートする。前記無線端末は、アンライセンスド周波数帯におけるＲＳＳＩの測定及び前記無線端末の位置情報の取得を設定する設定情報をネットワークから受信する受信部と、前記設定情報に基づいて、前記ＲＳＳＩの測定及び前記位置情報の取得を行う制御部と、ＲＳＳＩ測定結果を前記位置情報と共に前記ネットワークに送信する送信部と、を備える。
2017126623.tif 000002
【特許請求の範囲】
【請求項１】
ＭＤＴをサポートする無線端末であって、
アンライセンスド周波数帯におけるＲＳＳＩの測定及び前記無線端末の位置情報の取得を設定する設定情報をネットワークから受信する受信部と、
前記設定情報に基づいて、前記ＲＳＳＩの測定及び前記位置情報の取得を行う制御部と、
ＲＳＳＩ測定結果を前記位置情報と共に前記ネットワークに送信する送信部と、を備える無線端末。
【請求項２】
前記設定情報は、ＲＳＳＩ測定ウィンドウを示す情報を含み、
前記制御部は、前記ＲＳＳＩ測定ウィンドウ内の複数のＲＳＳＩ測定値の平均である平均ＲＳＳＩを算出し、
前記ＲＳＳＩ測定結果は、前記平均ＲＳＳＩを含む請求項１に記載の無線端末。
【請求項３】
前記制御部は、前記複数のＲＳＳＩ測定値のそれぞれを閾値と比較し、前記複数のＲＳＳＩ測定値のうち閾値よりも大きいＲＳＳＩ測定値が占める割合を算出し、
前記送信部は、前記ＲＳＳＩ測定結果と共に前記割合をさらに送信する請求項１に記載の無線端末。
【請求項４】
前記制御部は、前記アンライセンスド周波数帯において検出した無線信号の受信処理を行い、前記無線信号の内容に基づく補助情報を生成し、
前記送信部は、前記ＲＳＳＩ測定結果と共に前記補助情報をさらに送信する請求項１に記載の無線端末。
【請求項５】
前記アンライセンスド周波数帯は、複数のサブ周波数帯を含み、
前記設定情報は、前記複数のサブ周波数帯のうち測定対象のサブ周波数帯を指定する周波数情報を含む請求項１に記載の無線端末。
【請求項６】
前記ＭＤＴは、Ｉｍｍｅｄｉａｔｅ  ＭＤＴであり、
前記送信部は、前記ＲＳＳＩ測定結果と前記位置情報とを含む測定報告を前記ネットワークに送信する請求項１に記載の無線端末。
【請求項７】
前記ＭＤＴは、Ｌｏｇｇｅｄ  ＭＤＴであり、
前記制御部は、前記ＲＳＳＩ測定結果と前記位置情報とタイムスタンプとを含む測定ログを記憶し、
前記送信部は、
前記無線端末が前記測定ログを有することを示す通知を所定のタイミングで前記ネットワークに送信し、
前記無線端末が前記ネットワークから送信要求を受信した場合に、前記測定ログを前記ネットワークに送信する請求項１に記載の無線端末。
【請求項８】
前記制御部は、
前記Ｌｏｇｇｅｄ  ＭＤＴを実行するＡＳエンティティと、
前記ＡＳエンティティよりも上位層に位置付けられ、前記測定ログとは異なる上位層データを記憶する上位層エンティティと、を含み、
前記ＡＳエンティティは、前記上位層エンティティと協調した前記Ｌｏｇｇｅｄ  ＭＤＴを実行する請求項７に記載の無線端末。
【請求項９】
前記ＡＳエンティティは、前記タイムスタンプを得るためのタイマを前記上位層エンティティと共有し、
前記上位層エンティティは、前記タイマを用いて前記上位層データにタイムスタンプを付加する請求項８に記載の無線端末。
【請求項１０】
前記ＡＳエンティティは、前記上位層エンティティからの通知をトリガとして、前記測定ログを記憶する請求項８に記載の無線端末。
【請求項１１】
ＭＤＴをサポートする無線端末を制御するプロセッサであって、
アンライセンスド周波数帯におけるＲＳＳＩの測定及び前記無線端末の位置情報の取得を設定する設定情報をネットワークから受信する処理と、
前記設定情報に基づいて、前記ＲＳＳＩの測定及び前記位置情報の取得を行う処理と、
ＲＳＳＩ測定結果を前記位置情報と共に前記ネットワークに送信する処理と、を実行するプロセッサ。
【発明の詳細な説明】
【技術分野】
【０００１】
本発明は、移動通信システムにおいて用いられる無線端末及びプロセッサに関する。
【背景技術】
【０００２】
移動通信システムの標準化プロジェクトである３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＭＤＴ（Ｍｉｎｉｍｉｚａｔｉｏｎ  ｏｆ  Ｄｒｉｖｅ  Ｔｅｓｔｓ）機能が仕様化されている。ＭＤＴは、無線端末が無線環境を測定し、測定結果を位置情報と共にネットワークに報告することにより、主にネットワークの最適化を図る機能である。【０００３】
また、３ＧＰＰにおいては、急増するトラフィック需要に応えるべく、ＬＴＥ（Ｌｏｎｇ  Ｔｅｒｍ  Ｅｖｏｌｕｔｉｏｎ）を高度化する試みが進められている。そのような試みの一つとして、オペレータに免許が付与された周波数帯であるライセンスド周波数帯だけではなく、免許が不要な周波数帯であるアンライセンスド周波数帯もＬＴＥ通信に使用することが検討されている。アンライセンスド周波数帯は、アンライセンスドスペクトルと称されてもよい。
【発明の概要】
【０００４】
一実施形態に係る無線端末は、ＭＤＴをサポートする。前記無線端末は、アンライセンスド周波数帯におけるＲＳＳＩの測定及び前記無線端末の位置情報の取得を設定する設定情報をネットワークから受信する受信部と、前記設定情報に基づいて、前記ＲＳＳＩの測定及び前記位置情報の取得を行う制御部と、ＲＳＳＩ測定結果を前記位置情報と共に前記ネットワークに送信する送信部と、を備える。
【０００５】
一実施形態に係るプロセッサは、ＭＤＴをサポートする無線端末を制御する。前記プロセッサは、アンライセンスド周波数帯におけるＲＳＳＩの測定及び前記無線端末の位置情報の取得を設定する設定情報をネットワークから受信する処理と、前記設定情報に基づいて、前記ＲＳＳＩの測定及び前記位置情報の取得を行う処理と、ＲＳＳＩ測定結果を前記位置情報と共に前記ネットワークに送信する処理と、を実行する。
【図面の簡単な説明】
【０００６】
【図１】図１は、ＬＴＥシステムの構成を示す図である。
【図２】図２は、ＬＴＥシステムにおける無線インターフェイスのプロトコルスタックを示す図である。
【図３】図３は、ＬＴＥシステムで用いられる無線フレームの構成を示す図である。
【図４】図４は、ＵＥの構成を示す図である。
【図５】図５は、ｅＮＢの構成を示す図である。
【図６】図６は、ＬＡＡの一例を示す図である。
【図７】図７は、実施形態に係るユースケース１のシーケンスを示す図である。
【図８】図８は、実施形態に係るユースケース１の具体例を示す図である。
【図９】図９は、実施形態に係るユースケース２のシーケンスを示す図である。
【図１０】図１０（ａ）及び図１０（ｂ）は、実施形態に係るユースケース２の具体例を示す図である。
【発明を実施するための形態】
【０００７】
［実施形態の概要］
一実施形態に係る無線端末は、ＭＤＴをサポートする。前記無線端末は、アンライセンスド周波数帯におけるＲＳＳＩの測定及び前記無線端末の位置情報の取得を設定する設定情報をネットワークから受信する受信部と、前記設定情報に基づいて、前記ＲＳＳＩの測定及び前記位置情報の取得を行う制御部と、ＲＳＳＩ測定結果を前記位置情報と共に前記ネットワークに送信する送信部と、を備える。
【０００８】
一実施形態において、前記設定情報は、ＲＳＳＩ測定ウィンドウを示す情報を含む。前記制御部は、前記ＲＳＳＩ測定ウィンドウ内の複数のＲＳＳＩ測定値の平均である平均ＲＳＳＩを算出する。前記ＲＳＳＩ測定結果は、前記平均ＲＳＳＩを含む。
【０００９】
一実施形態において、前記制御部は、前記複数のＲＳＳＩ測定値のそれぞれを閾値と比較し、前記複数のＲＳＳＩ測定値のうち閾値よりも大きいＲＳＳＩ測定値が占める割合を算出する。前記送信部は、前記ＲＳＳＩ測定結果と共に前記割合をさらに送信する。
【００１０】
一実施形態において、前記制御部は、前記アンライセンスド周波数帯において検出した無線信号の受信処理を行い、前記無線信号の内容に基づく補助情報を生成する。前記送信部は、前記ＲＳＳＩ測定結果と共に前記補助情報をさらに送信する。
【００１１】
一実施形態において、前記アンライセンスド周波数帯は、複数のサブ周波数帯を含む。前記設定情報は、前記複数のサブ周波数帯のうち測定対象のサブ周波数帯を指定する周波数情報を含む。
【００１２】
一実施形態において、前記ＭＤＴは、Ｉｍｍｅｄｉａｔｅ  ＭＤＴである。前記受信部は、前記ＲＳＳＩ測定結果と前記位置情報とを含む測定報告を前記ネットワークに送信する。
【００１３】
一実施形態において、前記ＭＤＴは、Ｌｏｇｇｅｄ  ＭＤＴである。前記制御部は、前記ＲＳＳＩ測定結果と前記位置情報とタイムスタンプとを含む測定ログを記憶する。前記送信部は、前記無線端末が前記測定ログを有することを示す通知を所定のタイミングで前記ネットワークに送信する。前記送信部は、前記無線端末が前記ネットワークから送信要求を受信した場合に、前記測定ログを前記ネットワークに送信する。
【００１４】
一実施形態において、前記制御部は、前記Ｌｏｇｇｅｄ  ＭＤＴを実行するＡＳエンティティと、前記ＡＳエンティティよりも上位層に位置付けられ、前記測定ログとは異なる上位層データを記憶する上位層エンティティと、を含む。前記ＡＳエンティティは、前記上位層エンティティと協調した前記Ｌｏｇｇｅｄ  ＭＤＴを実行する。
【００１５】
一実施形態において、前記ＡＳエンティティは、前記タイムスタンプを得るためのタイマを前記上位層エンティティと共有する。前記上位層エンティティは、前記タイマを用いて前記上位層データにタイムスタンプを付加する。
【００１６】
一実施形態において、前記ＡＳエンティティは、前記上位層エンティティからの通知をトリガとして、前記測定ログを記憶する。
【００１７】
一実施形態に係るプロセッサは、ＭＤＴをサポートする無線端末を制御する。前記プロセッサは、アンライセンスド周波数帯におけるＲＳＳＩの測定及び前記無線端末の位置情報の取得を設定する設定情報をネットワークから受信する処理と、前記設定情報に基づいて、前記ＲＳＳＩの測定及び前記位置情報の取得を行う処理と、ＲＳＳＩ測定結果を前記位置情報と共に前記ネットワークに送信する処理と、を実行する。
【００１８】
［実施形態］
（１）システム構成
以下において、実施形態に係る移動通信システムであるＬＴＥシステムの構成について説明する。図１は、ＬＴＥシステムの構成を示す図である。
【００１９】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。Ｅ−ＵＴＲＡＮ１０及びＥＰＣ２０は、ＬＴＥシステムのネットワークを構成する。
【００２０】
ＵＥ１００は、無線端末に相当する。ＵＥ１００は、移動型の無線端末である。ＵＥ１００は、セル（サービングセル）との無線通信を行う。ＵＥ１００の構成については後述する。
【００２１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２２】
ｅＮＢ２００は、１又は複数のセルを管理している。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能を示す用語としても用いられる。
【００２３】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００２４】
図２は、ＬＴＥシステムにおける無線インターフェイスのプロトコルスタックを示す図である。図２に示すように、無線インターフェイスプロトコルは、ＯＳＩ参照モデルの第１層乃至第３層に区分されている。第１層は物理（ＰＨＹ）層を含む。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２５】
物理層、ＭＡＣ層、ＲＬＣ層、ＰＤＣＰ層、ＲＲＣ層は、ＡＳ（Ａｃｃｅｓｓ  Ｓｔｒａｔｕｍ）エンティティ１００ａを構成する。上位層エンティティ１００ｂは、ＡＳエンティティ１００ａよりも上位層に位置付けられる。上位層エンティティ１００ｂは、ＮＡＳ（Ｎｏｎ−Ａｃｃｅｓｓ  Ｓｔｒａｔｕｍ）層を含む。上位層エンティティ１００ｂは、アプリケーション層等をさらに含んでもよい。
【００２６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００２７】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００２９】
ＰＤＣＰ層は、ヘッダ圧縮・伸張、及び暗号化・復号化を行う。
【００３０】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００３１】
ＲＲＣ層の上位に位置するＮＡＳ層は、セッション管理及びモビリティ管理等を行う。
【００３２】
図３は、ＬＴＥシステムで用いられる無線フレームの構成を示す図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が適用される。ＬＴＥシステムは、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００３３】
図３に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数個のリソースブロック（ＲＢ）を含む。各サブフレームは、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定できる。時間リソースはサブフレーム（又はスロット）により特定できる。
【００３４】
（２）無線端末の構成
以下において、実施形態に係るＵＥ１００（無線端末）について説明する。図４は、ＵＥ１００の構成を示す図である。
【００３５】
図４に示すように、ＵＥ１００は、受信部１１０、送信部１２０、及び制御部１３０を備える。ＵＥ１００は、ＧＮＳＳ（Ｇｌｏｂａｌ  Ｎａｖｉｇａｔｉｏｎ  Ｓａｔｅｌｌｉｔｅ  Ｓｙｓｔｅｍ）受信機をさらに備えてもよい。
【００３６】
受信部１１０は、制御部１３０の制御下で各種の受信を行う。受信部１１０は、アンテナ及び受信機を含む。受信機は、アンテナが受信する無線信号をベースバンド信号（受信信号）に変換する。受信機は、ベースバンド信号を制御部１３０に出力する。受信部１１０は、第１の受信機と、第２の受信機と、を含んでもよい。第１の受信機は、ライセンスド周波数帯において無線信号を受信する。第２の受信機は、アンライセンスド周波数帯において無線信号を受信する。
【００３７】
送信部１２０は、制御部１３０の制御下で各種の送信を行う。送信部１２０は、アンテナ及び送信機を含む。送信機は、制御部１３０が出力するベースバンド信号（送信信号）を無線信号に変換する。送信機は、無線信号をアンテナから送信する。送信部１２０は、第１の送信機と、第２の送信機と、を含んでもよい。第１の送信機は、ライセンスド周波数帯において無線信号を送信する。第２の送信機は、アンライセンスド周波数帯において無線信号を送信する。
【００３８】
制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。プロセッサは、コーデックを含んでもよい。コーデックは、音声・映像信号の符号化・復号を行う。プロセッサは、後述する各種の処理及び上述した各種の通信プロトコルを実行する。
【００３９】
（３）基地局の構成
以下において、ｅＮＢ２００（基地局）の構成について説明する。図５は、ｅＮＢ２００の構成を示す図である。
【００４０】
図５に示すように、ｅＮＢ２００は、送信部２１０、受信部２２０、制御部２３０、及びバックホール通信部２４０を備える。
【００４１】
送信部２１０は、制御部２３０の制御下で各種の送信を行う。送信部２１０は、アンテナ及び送信機を含む。送信機は、制御部２３０が出力するベースバンド信号（送信信号）を無線信号に変換する。送信機は、無線信号をアンテナから送信する。送信部２１０は、第１の送信機と、第２の送信機と、を含んでもよい。第１の送信機は、ライセンスド周波数帯において無線信号を送信する。第２の送信機は、アンライセンスド周波数帯において無線信号を送信する。
【００４２】
受信部２２０は、制御部２３０の制御下で各種の受信を行う。受信部２２０は、アンテナ及び受信機を含む。受信機は、アンテナが受信する無線信号をベースバンド信号（受信信号）に変換する。受信機は、ベースバンド信号を制御部２３０に出力する。受信部２２０は、第１の受信機と、第２の受信機と、を含んでもよい。第１の受信機は、ライセンスド周波数帯において無線信号を受信する。第２の受信機は、アンライセンスド周波数帯において無線信号を受信する。
【００４３】
制御部２３０は、ｅＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。プロセッサは、後述する各種の処理及び上述した各種の通信プロトコルを実行する。
【００４４】
バックホール通信部２４０は、Ｘ２インターフェイスを介して隣接ｅＮＢ２００と接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００４５】
（４）ＬＡＡ
以下において、ＬＡＡ（Ｌｉｃｅｎｓｅｄ−Ａｓｓｉｓｔｅｄ  Ａｃｃｅｓｓ）について説明する。
【００４６】
実施形態に係るＬＴＥシステムは、ライセンスド周波数帯だけではなくアンライセンスド周波数帯もＬＴＥ通信に使用する。ＬＡＡは、ライセンスド周波数帯の補助によりアンライセンスド周波数帯にアクセス可能とする機能である。
【００４７】
図６は、ＬＡＡの一例を示す図である。図６に示すように、ｅＮＢ２００は、セル＃１と、セル＃２と、を管理している。セル＃１は、ライセンスド周波数帯で運用される。セル＃２は、アンライセンスド周波数帯で運用される。図６において、セル＃１がマクロセルであり、セル＃２が小セルである一例を図示している。しかしながら、セルサイズはこれに限定されない。
【００４８】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。このようなキャリアアグリゲーションにより、ＵＥ１００には、ライセンスド周波数帯の無線リソースに加えて、アンライセンスド周波数帯の無線リソースが提供される。
【００４９】
（５）実施形態に係る動作
以下において、実施形態に係る動作について説明する。
【００５０】
実施形態に係るＵＥ１００は、ＭＤＴをサポートする。実施形態に係るＵＥ１００は、アンライセンスド周波数帯において送信される無線信号を受信する機能を有する。アンライセンスド周波数帯は、複数のシステムにより共用される。複数のシステムは、ＬＴＥシステム、ＷＬＡＮ（Ｗｉｒｅｌｅｓｓ  ＬＡＮ）システム、ＤＳＲＣ（Ｄｅｄｉｃａｔｅｄ  Ｓｈｏｒｔ  Ｒａｎｇｅ  Ｃｏｍｍｕｎｉｃａｔｉｏｎ）システム等を含む。
【００５１】
アンライセンスド周波数帯は、５ＧＨｚ帯及び５．９ＧＨｚ帯等である。例えば、ＬＴＥシステム及びＷＬＡＮ（Ｗｉｒｅｌｅｓｓ  ＬＡＮ）システムは、アンライセンスド周波数帯のうち主として５ＧＨｚ帯を用いる。ＤＳＲＣシステムは、５．９ＧＨｚ帯を用いる。
【００５２】
ＵＥ１００の受信部１１０は、設定情報をネットワーク（ｅＮＢ２００）から受信する。設定情報は、アンライセンスド周波数帯におけるＲＳＳＩ（Ｒｅｃｅｉｖｅｄ  Ｓｉｇｎａｌ  Ｓｔｒｅｎｇｔｈ  Ｉｎｄｉｃａｔｏｒ）の測定及びＵＥ１００の位置情報の取得を設定する。位置情報は、ＵＥ１００の地理的な位置を特定するための情報である。位置情報は、例えばＧＮＳＳ位置情報又はＲＦ（Ｒａｄｉｏ  Ｆｒｅｑｕｅｎｃｙ）フィンガープリントである。設定情報は、例えばＲＲＣシグナリングにより送受信される。
【００５３】
ＵＥ１００の制御部１３０は、設定情報に基づいて、アンライセンスド周波数帯におけるＲＳＳＩの測定、及び位置情報の取得を行う。ＵＥ１００の送信部１２０は、ＲＳＳＩ測定結果を位置情報と共にネットワーク（ｅＮＢ２００）に送信する。ＲＳＳＩ測定結果は、例えばＲＲＣシグナリングにより送受信される。
【００５４】
設定情報は、ＲＳＳＩ測定ウィンドウを示す情報を含んでもよい。ＲＳＳＩ測定ウィンドウは、ＲＳＳＩ測定間隔よりも時間長が長い。制御部１３０は、ＲＳＳＩ測定ウィンドウ内の複数のＲＳＳＩ測定値の平均である平均ＲＳＳＩを算出する。送信部１２０は、平均ＲＳＳＩをＲＳＳＩ測定結果としてネットワーク（ｅＮＢ２００）に送信する。このような平均ＲＳＳＩを報告することにより、瞬間的なＲＳＳＩの変動の影響を小さくして、アンライセンスド周波数帯の長期的な通信品質を把握可能とすることができる。
【００５５】
制御部１３０は、当該複数のＲＳＳＩ測定値のそれぞれを閾値と比較し、複数のＲＳＳＩ測定値のうち閾値よりも大きいＲＳＳＩ測定値が占める割合を算出してもよい。閾値は、設定情報に含まれていてもよい。このような割合は、アンライセンスド周波数帯がどの程度頻度に利用されているかを示す指標とすることができる。以下において、このような割合をチャネル利用率と称する。送信部１２０は、ＲＳＳＩ測定結果（平均ＲＳＳＩ）をチャネル利用率と共にネットワーク（ｅＮＢ２００）に送信する。
【００５６】
制御部１３０は、アンライセンスド周波数帯において検出した無線信号の受信処理（信号検出）を行い、無線信号の内容に基づく補助情報を生成してもよい。送信部１２０は、ＲＳＳＩ測定結果と共に補助情報をさらに送信する。このような補助情報も報告することにより、ネットワークがアンライセンスド周波数帯の状況をより詳細に把握することができる。
【００５７】
検出する無線信号は、例えば、ＷＬＡＮビーコン信号、ＬＴＥブロードキャスト信号、又はＤＳＲＣ信号等である。ＬＴＥブロードキャスト信号は、参照信号又はシステム情報等である。
【００５８】
補助情報は、受信した無線信号の送信元ノードの識別子、送信元ノードの種類（タイプ）、受信した無線信号の受信信号強度／受信信号品質、特定できたノード数、及び送信元ノードの負荷情報のうち少なくとも１つである。ここで、送信元ノードの識別子は、例えばＷＬＡＮ識別子又はセル識別子である。ＷＬＡＮ識別子は、ＢＳＳＩＤ（Ｂasic Ｓervice Ｓet ＩＤentification）等である。セル識別子は、物理セルＩＤ又はグローバルセルＩＤである。送信元ノードの識別子は、近傍サービス（ＰｒｏＳｅ）において用いられるＰｒｏＳｅ  ＵＥ  ＩＤであってもよい。受信した無線信号の受信信号強度／受信信号品質は、ある周波数帯の全体的な受信信号強度であるＲＳＳＩとは異なる。受信した無線信号の受信信号強度／受信信号品質は、特定の無線信号の受信信号強度／受信信号品質である。例えば、受信信号強度／受信信号品質は、参照信号受信電力（ＲＳＲＰ）、参照信号受信電力（ＲＳＲＱ）、又はビーコンＲＳＳＩ等である。送信元ノードの負荷情報は、例えばバックホールレート（ＷＬＡＮバックホールレート等）である。
【００５９】
設定情報は、アンライセンスド周波数帯に含まれる複数のサブ周波数帯のうち測定対象のサブ周波数帯を指定する周波数情報を含んでもよい。サブ周波数帯は、例えばＷＬＡＮバンド又はＷＬＡＮチャネルである。制御部１３０は、周波数情報（バンド番号又はチャネル番号）により指定されたバンド又はチャネルのＲＳＳＩを測定する。
【００６０】
（５．１）ユースケース１
以下において、アンライセンスド周波数帯におけるＲＳＳＩ測定を伴うＭＤＴのユースケース１について説明する。ユースケース１においては、Ｉｍｍｅｄｉａｔｅ  ＭＤＴを想定する。
【００６１】
図７は、ユースケース１のシーケンスを示す図である。
【００６２】
図７に示すように、ステップＳ１０１において、ｅＮＢ２００は、設定情報（ＲＳＳＩ  ｍｅａｓｕｒｅｍｅｎｔ  ｃｏｎｆｉｇ）をＵＥ１００に送信する。設定情報は、アンライセンスド周波数帯におけるＲＳＳＩの測定及びＵＥ１００の位置情報の取得を設定する。ＵＥ１００は、設定情報を受信する。
【００６３】
設定情報は、ＵＥ１００の位置情報の取得を要求する情報（ｒｅｑｕｅｓｔ  ｌｏｃａｔｉｏｎ  ｉｎｆｏ）を含む。設定情報は、報告タイミングを指定するタイミング情報を含んでもよい。タイミング情報は、周期的な報告及びイベントトリガ報告の何れかを指定する情報を含む。周期的な報告の場合、タイミング情報は、測定報告の周期を指定する情報を含んでもよい。イベントトリガ報告の場合、タイミング情報は、トリガの種類（イベント）を指定する情報を含んでもよい。
【００６４】
ステップＳ１０２において、ＵＥ１００は、ＲＲＣコネクティッドモードにおいて、アンライセンスド周波数帯におけるＲＳＳＩの測定（ＲＳＳＩ  ｍｅａｓｕｒｅｍｅｎｔ）を行う。設定情報が周波数情報を含む場合、ＵＥ１００は、指定された周波数帯（ｃｏｎｆｉｇｕｒｅｄ  ｆｒｅｑｕｅｎｃｙ）についてＲＳＳＩの測定を行う。
【００６５】
周期的な報告（Ｐｅｒｉｏｄｉｃ  Ｒｅｐｏｒｔｉｎｇ）の場合、ＵＥ１００は、物理層がはじめのＲＳＳＩサンプル値を報告してきたタイミングで、ＲＳＳＩ測定結果をサービングセルに報告するための処理を開始する。この処理は、ＵＥ１００のＲＲＣ層において行われる。
【００６６】
イベントトリガ報告（Ｅｖｅｎｔ  ｔｒｉｇｇｅｒｅｄ  Ｒｅｐｏｒｔｉｎｇ）の場合、ＵＥ１００は、物理層がはじめのＲＳＳＩサンプル値を報告してきたタイミングで、ＲＳＳＩ測定結果をサービングセルに報告するための処理を開始する。ＵＥ１００は、報告間隔（Ｒｅｐｏｒｔ  ｉｎｔｅｒｖａｌ）間で平均化したＲＳＳＩ値が閾値を超えたタイミングで、ＲＳＳＩ測定結果をサービングセルに報告する。この処理は、ＵＥ１００のＲＲＣ層において行われる。
【００６７】
このように、ＲＲＣ層は、ＲＲＣ測定が設定された後すぐに測定報告を開始するわけでなく、物理層がＲＳＳＩ測定を開始した後で測定報告を開始する。
【００６８】
ステップＳ１０３において、ＵＥ１００は、位置情報（ｌｏｃａｔｉｏｎ  ｉｎｆｏ）を取得する。ステップＳ１０２及びステップＳ１０３の順は逆であってもよい。
【００６９】
ステップＳ１０４において、ＵＥ１００は、測定報告のタイミングであるか否かを判定する。
【００７０】
測定報告のタイミングである場合、ステップＳ１０５において、ＵＥ１００は、ＲＳＳＩ測定結果及び位置情報を含む測定報告をｅＮＢ２００に送信する。測定報告は、上述したチャネル利用率及び／又は補助情報を含んでもよい。ｅＮＢ２００は、測定報告を受信する。
【００７１】
このように、ユースケース１において、ｅＮＢ２００は、自セル内でＲＲＣコネクティッドモードのＵＥ１００から、ＲＳＳＩ測定結果及び位置情報を含む測定報告を受信する。
【００７２】
図８は、ユースケース１の具体例を示す図である。
【００７３】
図８に示すように、ｅＮＢ２００は、ライセンスド周波数帯である３．５ＧＨｚ帯で運用されるセル（Ｐｉｃｏ  Ｃｅｌｌ）を管理する。また、ｅＮＢ２００は、アンライセンスド周波数帯で運用されるＲＲＨ（Ｒｅｍｏｔｅ  Ｒａｄｉｏ  Ｈｅａｄ）を有する。ＲＲＨは、ＬＡＡに用いられる遠隔無線部（ＬＡＡ  ＲＲＨ）である。ＲＲＨの周辺には、ＷＬＡＮアクセスポイント（ＷｉＦｉ  ＡＰ）４００が設置されている。
【００７４】
このような動作環境において、ｅＮＢ２００は、Ｉｍｍｅｄｉａｔｅ  ＭＤＴ（ＩＭＭ  ＭＤＴ）を用いて、ＲＳＳＩ測定結果（ＲＳＳＩ  ｍｅａｓｕｒｅｍｅｎｔ  ｒｅｓｕｌｔ）及び位置情報等を含む測定報告を自セル内の各ＵＥ１００から受信する。
【００７５】
ｅＮＢ２００は、ＲＲＨの周辺に位置するＵＥ１００を位置情報に基づいて特定する。ｅＮＢ２００は、特定したＵＥ１００のＲＳＳＩ測定結果等を確認し、アンライセンスド周波数帯を使用可能か否か判断する。使用不可と判断した場合、ｅＮＢ２００は、ＲＲＨの運用を停止する。使用可能と判断した場合、ｅＮＢ２００は、ＲＲＨの運用を継続又は運用を再開する。これにより、ＲＲＨを適切に運用することができる。
【００７６】
（５．２）ユースケース２
以下において、アンライセンスド周波数帯におけるＲＳＳＩ測定を伴うＭＤＴのユースケース２について説明する。ユースケース２においては、Ｌｏｇｇｅｄ  ＭＤＴを想定する。なお、Ｌｏｇｇｅｄ  ＭＤＴは、ＲＲＣアイドルモードのＵＥ１００がロギングを行うＬｏｇｇｅｄ  ＭＤＴ  ｉｎ  Ｉｄｌｅであってもよい。Ｌｏｇｇｅｄ  ＭＤＴは、ＲＲＣコネクティッドモードのＵＥ１００がロギングを行うＬｏｇｇｅｄ  ＭＤＴ  ｉｎ  Ｃｏｎｎｅｃｔｅｄであってもよい。ロギングは、測定及び測定結果の記憶を含む一連の処理である。
【００７７】
ユースケース２においては、ＵＥ１００がＤＳＲＣ信号（ＤＳＲＣビーコン）を検出するケースを想定する。ＵＥ１００は、車両に搭載される車載型のＵＥ（車載端末）であってもよい。
【００７８】
図９は、ユースケース２のシーケンスを示す図である。
【００７９】
図９に示すように、ステップＳ２０１において、ｅＮＢ２００は、設定情報（ＤＳＲＣ  Ｂｅａｃｏｎ  ＲＳＳＩ  ｍｅａｓｕｒｅｍｅｎｔ  ｌｏｇｇｉｎｇ  ｃｏｎｆｉｇ）をＵＥ１００に送信する。設定情報は、アンライセンスド周波数帯におけるＲＳＳＩの測定及びＵＥ１００の位置情報の取得を設定する。ＵＥ１００は、設定情報を受信する。設定情報は、タイムスタンプの基準となるネットワーク絶対時間、及びロギングを行うべき期間であるロギング期間等を含む。
【００８０】
ステップＳ２０２において、ＵＥ１００は、ＲＲＣアイドルモード又はＲＲＣコネクティッドモードにおいて、アンライセンスド周波数帯におけるＲＳＳＩの測定（ＲＳＳＩ  ｍｅａｓｕｒｅｍｅｎｔ）を行う。ＵＥ１００は、ＤＳＲＣビーコンを検出できた場合、ビーコンＲＳＳＩの測定（Ｂｅａｃｏｎ  ＲＳＳＩ  ｍｅａｓｕｒｅｍｅｎｔ）を行う。ＵＥ１００は、検出したＤＳＲＣビーコンに基づく補助情報を生成する。補助情報は、ＤＳＲＣビーコンの送信元ノード情報（Ｔｘ  ｉｎｆｏ）を含む。ＤＳＲＣビーコンに送信元ノードの位置情報が含まれている場合、ＵＥ１００は、送信元ノードの位置情報を補助情報に含めてもよい。
【００８１】
ステップＳ２０３において、ＵＥ１００は、位置情報（ｌｏｃａｔｉｏｎ  ｉｎｆｏ）を取得する。ステップＳ２０２及びステップＳ２０３の順は逆であってもよい。
【００８２】
ＵＥ１００は、ＲＳＳＩ測定結果、位置情報、補助情報、及びタイムスタンプを含む測定ログを記憶する。ＵＥ１００はタイマを有しており、ネットワーク絶対時間からの経過時間をタイマにより測定する。ＵＥ１００は、測定時のタイマの値をタイムスタンプとして測定ログに含める。ＵＥ１００のＡＳエンティティ１００ａは、ロギング期間が終了するまでロギングを継続する。
【００８３】
ＵＥ１００の上位層エンティティ１００ｂは、ＡＳエンティティ１００ａが記憶する測定ログとは異なる上位層データを記憶する。例えば、上位層エンティティ１００ｂが車両向けアプリケーションを実行する場合、上位層データは、車両に関連するデータである。上位層データは、車載カメラにより得られた画像データであってもよい。
【００８４】
ＵＥ１００のＡＳエンティティ１００ａは、上位層エンティティ１００ｂと協調したロギングを実行することが好ましい。
【００８５】
例えば、ＡＳエンティティ１００ａは、タイムスタンプを得るためのタイマを上位層エンティティ１００ｂと共有する。上位層エンティティ１００ｂは、ＡＳエンティティ１００ａと共有するタイマを用いて上位層データにタイムスタンプを付加する。これにより、測定ログ及び上位層データをネットワークが取得した際、ネットワークは、タイムスタンプを用いて測定ログ及び上位層データを対応付けることができる。
【００８６】
ＡＳエンティティ１００ａは、上位層エンティティ１００ｂからの通知をトリガとして、測定ログを記憶してもよい。例えば、上位層エンティティ１００ｂは、車載カメラにより危険を検知した際にＡＳエンティティ１００ａに通知を行う。これにより、ＡＳエンティティ１００ａは、車両に関連するイベントの発生をトリガとしてロギングを行うことができる。
【００８７】
ステップＳ２０４において、ＵＥ１００は、ロギング期間の終了後、測定ログを有している場合（ステップＳ２０４：Ｙｅｓ）、ステップＳ２０５において、自身が測定ログを有することを示す通知（Ｌｏｇ  ａｖａｉｌａｂｉｌｉｔｙ）を所定のタイミングでｅＮＢ２００に送信する。所定のタイミングは、例えば、ＵＥ１００がハンドオーバを行うタイミング、又はＲＲＣアイドルモードからＲＲＣコネクティッドモードに遷移するタイミングである。所定のタイミングは、設定情報により指定される時刻又は時間帯であってもよい。例えば、トラフィック量の少ない深夜の時刻又は時間帯を指定することが考えられる。
【００８８】
ｅＮＢ２００は、ＵＥ１００からの通知に基づいて、測定ログを取得するか否かを判断する。ここでは、ｅＮＢ２００が測定ログを取得すると判断したと仮定して説明を進める。
【００８９】
ステップＳ２０６において、ｅＮＢ２００は、測定ログの送信を要求する送信要求（Ｒｅｑｕｅｓｔ）をＵＥ１００に送信する。
【００９０】
ステップＳ２０７において、ＵＥ１００は、ｅＮＢ２００から送信要求を受信したことに応じて、測定ログをネットワークに送信（Ｒｅｐｏｒｔ）する。ＵＥ１００は、測定ログと共に上位層データをｅＮＢ２００に送信する。或いは、ＵＥ１００は、測定ログとは別のタイミングで上位層データをｅＮＢ２００に送信してもよい。
【００９１】
このように、ユースケース２において、ネットワークは、ＵＥ１００から測定ログ及び上位層データを取得する。
【００９２】
図１０は、ユースケース２の具体例を示す図である。
【００９３】
図１０（ａ）に示すように、ＵＥ１００が搭載された車両（自動車）が車道を走行している。ＵＥ１００は、歩行者が所持する通信ノードから送信されるＤＲＳＣビーコンを検出（Ｄｅｔｅｃｔ）する。或いは、ＵＥ１００は、車載カメラにより歩行者を検出してもよい。図１０（ｂ）に示すように、ＵＥ１００は、歩行者を検出した際の測定ログを記憶する。測定ログは、例えば、タイムスタンプ（Ｔｉｍｅ）、位置情報（Ｌｏｃａｔｉｏｎ）、ビーコンＲＳＳＩ（Ｂｅａｃｏｎ  ＲＳＳＩ  ｖａｌｕｅ）、送信元ノードに関する情報（Ｔｘ  ｉｓ  ｐｅｄｅｓｔｒｉａｎ）を含む。これにより、危険が発生した際の状況を測定ログとして記録することができる。また、上位層データと測定ログとを組み合わせて、危険が発生した際の詳細な状況を把握可能とすることができる。
【００９４】
［その他の実施形態］
上述した実施形態において、移動通信システムとしてＬＴＥシステムを例示した。しかしながら、本発明はＬＴＥシステムに限定されない。ＬＴＥシステム以外のシステムに本発明を適用してもよい。
【００９５】
本願は米国仮出願第６２／２８１８４８号（２０１６年１月２２日出願）の優先権を主張し、その内容の全てが本願明細書に組み込まれている。
【産業上の利用可能性】
【００９６】
本発明は、通信分野において有用である。
【図１】
2017126623.tif 000003
【図２】
2017126623.tif 000004
【図３】
2017126623.tif 000005
【図４】
2017126623.tif 000006
【図５】
2017126623.tif 000007
【図６】
2017126623.tif 000008
【図７】
2017126623.tif 000009
【図８】
2017126623.tif 000010
【図９】
2017126623.tif 000011
【図１０】
2017126623.tif 000012
【国際調査報告】
2017126623.tif 000013
2017126623.tif 000014
2017126623.tif 000015
2017126623.tif 000016